(57)【特許請求の範囲】
【請求項１】
映像信号をフレーム遅延するフレームメモリ部と、
前記映像信号から、前記フレームメモリ部より与えられるフレーム遅延された映像信号を減算してフレーム差分信号を出力する第１演算部と、
前記フレーム差分信号から矩形波成分を除去する矩形波除去部と、
前記矩形波除去部により矩形波成分が除去されたフレーム差分信号を受け、ここから連続パルス成分を除去して第1の単独パルス成分を出力するパルス識別部と、
前記映像信号から前記単独パルス成分を減算する第２演算部を具備することを特徴とするノイズ削減回路。
【請求項２】
前記映像信号を受け第２の単独パルス成分を検出する単独パルス検出部と、
前記パルス識別部から出力された前記第1の単独パルス成分と前記単独パルス検出部から出力された前記第２の単独パルス成分を乗算して出力する乗算部を更に有することを特徴とする請求項１記載のノイズ削減回路。
【請求項３】
前記矩形波除去部は、前記フレーム差分信号を第１ピクセル分遅延した第１遅延映像信号と、前記フレーム差分信号を第２ピクセル分遅延した第２遅延映像信号とを求め、前記映像信号と前記第１遅延映像信号より作成した微分信号と、前記第１遅延映像信号と前記第２遅延映像信号より作成した微分信号各々の極性を求め、これらの極性が異なる場合に前記映像信号を除去し、これらの極性が同一の場合に前記映像信号を通過させることにより、前記映像信号から前記矩形波成分を除去することを特徴とする請求項１記載のノイズ削減回路。
【請求項４】
前記パルス識別部は、前記映像信号を第１ピクセル分遅延した第１遅延映像信号と、前記映像信号を第２ピクセル分遅延した第２遅延映像信号を求め、前記第１遅延映像信号に前記映像信号と前記第２遅延映像信号を加算することで前記映像信号の中の連続パルス成分を相殺して、単独パルス成分を残留させることを特徴とする請求項１記載のノイズ削減回路。
【請求項５】
前記パルス識別部は、前記映像信号を第１ピクセル分遅延した第１遅延映像信号と、前記映像信号を第２ピクセル分遅延した第２遅延映像信号とを求め、第１遅延映像信号に前記映像信号と前記第２遅延映像信号にそれぞれ１／２を掛けた結果を加算し、この加算結果の大きい方と前記第１遅延映像信号とを比べて小さい方を出力することで、前記映像信号の中の単独パルス成分の領域と連続パルス成分の領域の信号値を抽出することを特徴とする請求項１記載のノイズ削減回路。
【請求項６】
前記パルス識別部は、第1の選択信号を受けた際には、前記映像信号を第１ピクセル分遅延した第１遅延映像信号と、第２ピクセル分遅延した第２遅延映像信号を求め、前記第１遅延映像信号に前記映像信号と前記第２遅延映像信号を加算することで前記映像信号の中の連続パルス成分を相殺して、単独パルス成分を残留させ、
第２の選択信号を受けた際には、前記映像信号を第１ピクセル分遅延した第１遅延映像信号と、第２ピクセル分遅延した第２遅延映像信号を求め、前記第１遅延映像信号に前記映像信号と前記第２遅延映像信号にそれぞれ１／２を掛けた結果を加算し、この加算結果の大きい方と前記第１遅延映像信号とを比べて小さい方を出力することで、前記映像信号の中の単独パルス成分の領域と連続パルス成分の領域の信号値を抽出することを特徴とする請求項１記載のノイズ削減回路。
【請求項７】
前記パルス識別部から出力される単独パルス成分の振幅値を制限し、これを前記第２演算部に供給するリミッタ部を更に有することを特徴とする請求項１記載のノイズ削減回路。
【請求項８】
放送信号を受信し映像信号を出力するチューナ部と、
前記チューナ部からの映像信号をフレーム遅延するフレームメモリ部と、
前記映像信号から、前記フレームメモリ部より与えられるフレーム遅延された映像信号を減算してフレーム差分信号を出力する第１演算部と、
前記フレーム差分信号から矩形波成分を除去する矩形波除去部と、
前記矩形波除去部により矩形波成分が除去されたフレーム差分信号を受け、ここから連続パルス成分を除去して単独パルス成分を出力するパルス識別部と、
前記映像信号から前記単独パルス成分を減算する第２演算部と、
前記映像信号から前記単独パルス成分を減算した映像信号に応じて映像を画面に表示する表示部と、を具備することを特徴とする映像装置。
【請求項９】
映像信号をフレーム遅延し、
前記映像信号から、前記フレーム遅延された映像信号を減算してフレーム差分信号を出力し、
前記フレーム差分信号から矩形波成分を除去し、
前記矩形波成分が除去されたフレーム差分信号を受け、ここから連続パルス成分を除去して単独パルス成分を出力し、
前記映像信号から前記単独パルス成分を減算することを特徴とするノイズ削減方法。
【発明の詳細な説明】
【技術分野】
【０００１】
この発明は、ノイズ成分から矩形波成分及び連続パルス成分を除去し単独パルス成分を出力するノイズ削減回路及びノイズ削減方法並びに映像装置に関する。
【背景技術】
【０００２】
最近、インパルスノイズ除去装置において、動画におけるインパルスノイズ誤検出を低減する方式が多く知られている。
【０００３】
特許文献１は、映像信号に含まれる単独の輝度変化の大きいインパルスノイズ成分の有無の判定を行なうことができる技術が開示されている。
【特許文献１】特開平５−１４５８０２号公報
【発明の開示】
【発明が解決しようとする課題】
【０００４】
しかし、特許文献１の従来技術は、連続するパルスノイズや矩形波にまぎれた単独のインパルスノイズを必ずしも正確に分離して検出することができない。
【０００５】
本発明は、ノイズ信号から矩形波を除去することで単独パルスを確実に検出して除去するノイズ削減回路及びノイズ削減方法並びに映像装置を提供することを目的とする。
【課題を解決するための手段】
【０００６】
課題を解決するための一実施形態は、
映像信号（ａ）をフレーム遅延するフレームメモリ部（３１）と、
前記映像信号から、前記フレームメモリ部より与えられるフレーム遅延された映像信号（ｂ）を減算してフレーム差分信号（ｃ）を出力する第１演算部（３２）と、
前記フレーム差分信号（ｃ）から矩形波成分を除去する第1矩形波除去部（３３：４１）と、
前記矩形波除去部により矩形波成分が除去されたフレーム差分信号を受け、ここから連続パルス成分を除去して単独パルス成分（ｄ）を出力する第1パルス識別部（３３：４２）と、
前記映像信号（ａ）から前記単独パルス成分（ｄ）を減算する第２演算部（３６）を具備することを特徴とするノイズ削減回路（２１）である。
【発明の効果】
【０００７】
ノイズが含まれた信号から、矩形波を除去し連続パルスと単独パルスを識別して、単独パルスノイズだけを確実に除去することができる。
【発明を実施するための最良の形態】
【０００８】
以下、この発明の実施の形態について図面を参照して詳細に説明する。
【０００９】
＜本発明の一実施形態であるノイズ削減回路と単独パルス検出回路の一例＞
（ノイズ削減回路）
初めに、本発明の一実施形態であるノイズ削減回路２１を図１を用いて説明する。図１は、本発明の一実施形態に係るノイズ削減回路の構成の一例を示すブロック図である。図２は、本発明の一実施形態に係るノイズ削減回路の動作の一例を示すタイミングチャートである。
【００１０】
ノイズ削減回路２１は、映像信号ａが与えられるフレームメモリ３１と、映像信号ａ及びフレームメモリ３１の出力ｂが供給される演算器３２と、演算器３２の出力であるフレーム差分信号ｃが供給される単独パルス検出部３３と、映像信号ａが供給される単独パルス検出部３４と、単独パルス検出部３３，３４の各出力が供給される演算部３５と、演算部３５の出力信号ｅ及び映像信号ａが供給される演算器３６を有している。
【００１１】
このノイズ削減回路２１において、映像信号ａからフレームメモリ３１によりフレーム遅延した信号ｂを減算したフレーム差分信号ｃを、単独パルス検出部３３に入力する。単独パルス検出部３３によって検出された単独パルス成分ｄは、単独パルス検出部３４の出力と演算部３５で掛け合わされる。演算部３５の出力信号ｅは演算器３６に供給されて、映像信号ａとの演算結果が演算器３６から出力される。
【００１２】
すなわち、図２において、単独パルス検出部３３によれば、単独パルス、連続パルス、矩形波等が混在するフレーム差分信号ｃから、特にノイズとして取り除きたい単独パルス成分ｄのみを抽出することできる。
【００１３】
（単独パルス検出部）
次に、本発明の一実施形態のノイズ削減回路の要部である単独パルス検出部３３について、図面を用いて詳細に説明する。
【００１４】
・矩形波除去部
単独パルス検出部３３は、図３に示すように、フレーム差分信号から矩形波信号を除去する矩形波除去部４１と、矩形波除去部４１の出力信号から連続パルス及び単独パルスを識別して、単独パルスだけを抽出するパルス識別部４２−１からなる。
【００１５】
初めに、矩形波除去部４１では、フレーム差分信号ｃ（Ｄ０）がディレイ回路４３に供給され、ディレイ回路４３では遅延信号Ｄ１が出力される。そして、ディレイ回路４４に遅延信号Ｄ１が供給され、ディレイ回路４４では更に遅延された遅延信号Ｄ２が出力される。
【００１６】
遅延信号Ｄ１とマイナスのフレーム差分信号ｃが加算器４５に与えられ、遅延信号Ｄ１とマイナスの遅延信号Ｄ２が加算器４６に与えられる。
【００１７】
加算器４５の出力と加算器４６の出力が判断部４７に与えられ、同時に、加算器４５の出力と加算器４６の出力が加算器５２に供給される。加算器５２の出力Ｅは更に符号抽出部５３に供給される。加算器４５の出力Ａは絶対値器４８に供給され、加算器４６の出力Ｂは絶対値器４９に供給され、絶対値器４８，４９の各出力は最小値選択部５０に供給される。最小値選択部５０の出力は選択部５１に供給される。
【００１８】
ここで、判断部４７においては、Ａ≦０でありＢ≦０、または、Ａ≧０でありＢ≧０であると判断されたとき、選択部５１は最小値選択部５０の出力『Ｃ』を選び、そうでないときは『０』を選択する。
【００１９】
そして、加算器５２の出力である２次微分値Ｅは、符号抽出部５３に供給されその抽出した符号情報が符号付加部５４で選択部５１の出力に付加される。符号付加部５４の出力信号Ｆ（映像信号Ｄ３）が後段のパルス識別部４２−１に供給される。
【００２０】
・フローチャートによる概要説明
このときの矩形波除去の一般的な動作の概略を以下、フローチャートを用いて説明する。図４は、本発明の一実施形態に係るノイズ削減回路の主要な構成である単独パルス検出部の矩形波除去処理の一例を示すフローチャートである。また、図５は、同様にノイズ削減回路の主要な構成である単独パルス検出部の動作の一例を示すタイミングチャートである。
【００２１】
なお、以下の図４、図６、図９のフローチャートの各ステップは、回路ブロックに置き換えることができる。従って、各フローチャートのステップの全ては、ブロックに定義しなおすことが可能である。
【００２２】
すなわち、単独パルス検出部３３の矩形波除去部４１の一般的な動作は、図３の矩形波除去部４１の具体的な実施形態に限定されるものではなく、以下のような動作を行なうものであればよい。すなわち、矩形波除去部４１は、図４のフローチャート及び図５のタイミングチャートに示すように、フレーム差分信号ｃを所定の第１ピクセル分遅延させた第１遅延信号Ｄ１を生成し、フレーム差分信号ｃを第２ピクセル分遅延させた第２遅延信号Ｄ２を生成する（ステップＳ１１）。その後、矩形波除去部４１は、フレーム差分信号ｃ、第１遅延信号Ｄ１、第２遅延信号Ｄ２を用いて、２つの微分値を出力する（ステップＳ１２）。そして、２つの微分値の極性を検出し（ステップＳ１３）、両者が同一であるかどうかを判断する（ステップＳ１４）。
【００２３】
矩形波除去部４１は、両者の微分値の極性が同一であれば、初めに与えられたフレーム差分信号ｃは矩形波でないと判断して後段にスルーする（ステップＳ１５）。しかし、矩形波除去部４１は、両者の微分値の極性が異なれば、初めに与えられたフレーム差分信号ｃは矩形波であると判断して矩形波成分を除去する（ステップＳ１６）。これにより、単独パルス検出部３３において、単独パルスを検出する際に障害となる矩形波の除去を実行して、後段の単独パルスの検出の精度を向上させることができる。
【００２４】
・パルス検出部
次に、本発明の一実施形態のノイズ削減回路２１の要部である単独パルス検出部３３のパルス識別部４２−１について説明する。
【００２５】
パルス識別部４２−１は、図３及び図５に示すように、符号付加部５４から出力された信号Ｆ（これを映像信号Ｄ３とする。）を遅延するディレイ回路６１と、ディレイ回路６１から出力された遅延信号Ｄ４を遅延するディレイ回路６２と、映像信号Ｄ３及び遅延信号Ｄ４が供給される加算器６５と、ディレイ回路６２から出力された信号（これを遅延信号Ｄ５とする。）と遅延信号Ｄ４とが供給される加算器６６とを有している。
【００２６】
パルス識別部４２−１は、加算器６５の演算結果Ｇが供給される絶対値器６９と、加算器６６の演算結果Ｈが供給される絶対値器７０と、絶対値器６９と絶対値器７０の各出力が供給される最小値選択部７２とを有している。
【００２７】
更に、パルス識別部４２−１では、最小値選択部７２の出力Ｊと、遅延信号Ｄ４が供給される絶対値器７５の絶対値出力とが最小値選択部７４に供給され、遅延信号Ｄ４の符号を抽出する符号抽出部７６の出力信号と最小値選択部７４の出力信号Ｌが符号付加部７７に供給される。一方、遅延信号Ｄ４が供給された符号付加部７７は、絶対値化される前の符号が与えられた出力信号Ｍ１を出力する。
【００２８】
この出力信号Ｍ１は、図５のタイミングチャートに示されている出力信号Ｍ１であり、図５で示す出力信号Ｍ１における一発目のパルスが単独パルス成分ｄである。出力信号Ｍ１は、更にリミッタ部７８に供給される。リミッタ部７８では、出力信号Ｍ１の振幅値が図３のグラフ７９で示すように一定範囲内に制限され、より適正な出力信号Ｎ（図１の単独パルス成分ｄ）として出力される。
【００２９】
・フローチャートによる概要説明
このときのパルス識別処理の一般的な動作の概略を以下、フローチャートを用いて説明する。図６は、本発明の一実施形態に係るノイズ削減回路の主要な構成である単独パルス検出部のパルス識別処理の一例を示すフローチャートである。
【００３０】
すなわち、単独パルス検出部３３のパルス識別部４２−１の一般的な動作は、図３のパルス識別部４２−１の具体的な実施形態に限定されるものではなく、以下のような動作を行なうものであればよい。すなわち、パルス識別部４２−１は、図６のフローチャート及び図５のタイミングチャートに示すように、映像信号Ｄ３を所定の第１ピクセル分遅延させた第１遅延信号Ｄ４を生成し、映像信号Ｄ３を第２ピクセル分遅延させた第２遅延信号Ｄ５を生成する（ステップＳ２１）。その後、パルス識別部４２−１は、映像信号Ｄ３、各第１遅延信号Ｄ４、第２遅延信号Ｄ５を加算する（ステップＳ２２）。
【００３１】
そして、パルス識別部４２−１は、各加算結果の各絶対値の最小値（Ｊ）を求め、この最小値（Ｊ）と第１遅延信号Ｄ４のうち、最小のものを選択する（ステップＳ２３）。
【００３２】
この結果、フレーム差分信号ｃのうち連続するパルス信号は相殺されて消え（ステップＳ２４）、単独のパルス信号Ｍ１は残る（ステップＳ２５）。パルス信号Ｍ１は図２の単独パルス成分ｄ及び図５のパルス成分Ｍ１における一発目のパルス成分として示される。
【００３３】
このように、本発明の一実施形態に係る単独パルス検出部３３によれば、特に、矩形波を除去することで、単独のパルス信号が確実に取得できる。
【００３４】
・パルス検出部
次に、本発明の一実施形態のノイズ削減回路２１の要部である単独パルス検出部３３のパルス識別部４２−２について説明する。図８は、本発明の一実施形態に係るノイズ削減回路の主要な構成である単独パルス検出部の構成の一例を示すブロック図である。ここで、図８に示すパルス識別部４２−２は、単独のパルス信号の領域と連続するパルス信号の領域を抽出するものである。
【００３５】
パルス識別部４２−２は、図８に示すように、映像信号Ｄ３を遅延するディレイ回路６１と、ディレイ回路６１から出力された遅延信号Ｄ４を遅延するディレイ回路６２と、映像信号Ｄ３を受けて１／２に減衰する減衰部６３と、減衰した映像信号Ｄ３及び遅延信号Ｄ４が供給される加算器６５と、ディレイ回路６２から出力された遅延信号Ｄ５を受けて１／２に減衰する減衰部６８と、遅延信号Ｄ４と減衰した遅延信号Ｄ５とが供給される加算器６６を有している。
【００３６】
パルス識別部４２−２は、加算器６５の演算結果Ｇが供給される絶対値器６９と、加算器６６の演算結果Ｈが供給される絶対値器７０と、絶対値器６９及び絶対値器７０の各出力が供給される最大値選択部７１とを有している。
【００３７】
更に、パルス識別部４２−２では、最大値選択部７１の出力Ｉと、遅延信号Ｄ４が供給される絶対値器７５の絶対値出力とが最小値選択部７４に供給され、最小値選択部７４の出力信号Ｌが符号付加部７７に供給される。一方、遅延信号Ｄ４が供給された符号付加部７７は、絶対値化される前の本来の符号が与えられた出力信号Ｍ２として出力される。更に、出力信号Ｍ２は、グラフ７９で定義されるリミッタ部７８に供給されることで、一定の範囲内の出力信号Ｎとして出力される。なお、図７のグラフは単独パルス検出部３４のリミッタ部７８の入出力特性を示すもので、ｘ軸方向が入力信号の大きさを示し、ｙ軸方向が出力信号の大きさを示している。このように、単独パルス検出部３３のリミッタ部と単独パルス検出部３４のリミッタ部では入出力特性が異なる。
【００３８】
・フローチャートによる概要説明
このときのパルス識別処理の一般的な動作の概略を以下、フローチャートを用いて説明する。図９は、本発明の一実施形態に係るノイズ削減回路の主要な構成である単独パルス検出部のパルス識別処理の一例を示すフローチャートである。
【００３９】
すなわち、単独パルス検出部３３のパルス識別部４２−２の一般的な動作は、図８のパルス識別部４２−２の具体的な実施形態に限定されるものではなく、以下のような動作を行なうものであればよい。すなわち、パルス識別部４２−２は、図９のフローチャート及び図５のタイミングチャートに示すように、映像信号Ｄ３を所定の第１ピクセル分遅延させた第１遅延信号Ｄ４を生成し、映像信号Ｄ３を第２ピクセル分遅延させた第２遅延信号Ｄ５を生成する（ステップＳ３１）。その後、パルス識別部４２−２は、映像信号Ｄ３と遅延信号Ｄ５を１／２にして、それぞれに遅延信号Ｄ４を加算する（ステップＳ３２）。
【００４０】
そして、パルス識別部４２−２は、各加算結果の各絶対値の最大値（Ｉ）を求め、この最大値（Ｉ）と第１遅延信号Ｄ４のうち、最小のものを選択する（ステップＳ３３）。この結果、パルス識別部４２−２は、『単独のパルス信号の領域』と『連続するパルス信号の領域』Ｍ２を抽出することができる（ステップＳ３４）。
【００４１】
このように、単独パルス検出部３３のパルス識別部４２−２は、図８のパルス識別部４２−２の構成によらなくとも、図９で示すフローチャートの動作に従うことで、『単独のパルス信号の領域』と『連続するパルス信号の領域』Ｍ２を抽出することが可能となる。
【００４２】
以上、説明したように、本発明の一実施形態に係るノイズ削減回路及びノイズ削減方法の単独パルス検出部は、図３及び図８の構成または図４及び図６及び図９の動作によって、矩形波除去処理を伴うことで、確実な単独パルスまたは『単独のパルス信号の領域と連続するパルス信号の領域』Ｍ２の検出を可能とするものである。
【００４３】
（パルス識別部４２−３）
なお、パルス識別部４２−１及びパルス識別部４２−２は、図１０に示す構成のように、図３のパルス識別部４２−１の構成と図８のパルス識別部４２−２の構成に、セレクタ部６４及びセレクタ部６７、選択部７３を付加してもよい。かかる構成によれば、選択信号α、βによって、「単独パルスを検出する機能」または「単独パルスと連続パルスを検出する機能」の二つの機能を、任意に切り替えることが可能となる。
【００４４】
すなわち、第１検出モード設定がαであればＧにはＤ３×１／２とＤ４を加算した信号、ＨにはＤ４とＤ５×１／２を加算した信号となり、それぞれを絶対値変換した値の最大値をＩ、最小値をＪとして出力する。
【００４５】
一方、第1検出モード設定がβであればＧにはＤ３とＤ４を加算した信号、ＨにはＤ４とＤ５を加算しそれぞれを絶対値変換した値の最大値がＩ、最小値がＪとなる。
【００４６】
次に第２検出モード設定がαであれば最大値のＩを選択しＫとして出力する。
【００４７】
第２検出モード設定がβであれば最小値のＪが選択され、Ｄ４を絶対値変換した値とＫを比較し小さい方をＬとして出力する。ＬにＤ４の符号を付加した出力Ｍは入出力変換でレベル補正される。
【００４８】
これにより、図１０が示すパルス識別部４２−３の構成によって、選択信号α、βに応じて単独パルスを検出する機能または単独パルスと連続パルスを検出する機能の二つの機能を、任意に切り替えることが可能となる。
【００４９】
（ソフトウェアで実現される単独パルス検出回路）
次に、ソフトウェアで実現される単独パルス検出回路について、図１１のフローチャートに従って、以下に説明する。
【００５０】
すなわち、上述した単独パルス検出回路の機能は、コンピュータプログラムとこのコンピュータプログラムで動作するコンピュータシステムにより実現することができる。
【００５１】
はじめに、ループＹ座標とＸ座標を定義し（ステップＳ１０１、Ｓ１０２）、次に、ピクセルデータをバッファに格納する（ステップＳ１０３）。
【００５２】
更に、Ｘ＜０．Ｘ＞Ｘ＿ＭＡＸとなる部分の端処理を行なう（ステップＳ１０４）。
【００５３】
次に、図５の遅延信号の差Ａ，Ｂと、２次微分信号Ｅを求める（ステップＳ１０５）。
【００５４】
更に、極性の判別を行い、極性に従って、信号を特に処理することなく後段に出力するかとすることにより、矩形波を排除する処理を行なう（ステップＳ１０６、Ｓ１０７）。
【００５５】
次に、ピクセルデータをバッファに格納し、遅延処理及び演算処理を行なう（ステップＳ１０８）。そして、αまたはβによる検出モード設定に従って、遅延信号の絶対値の最大値または最小値を求める（ステップＳ１０９、Ｓ１１０）。そして、最小値Ｌを求める（ステップＳ１１１）。更に、符号を適正化し（ステップＳ１１２）、リミッタ処理を施す（ステップＳ１１３）。これらの処理をループＸ座標及びループＹ座標について行なう（ステップＳ１１４，Ｓ１１５）。
【００５６】
このように、図３，図８，図１０のような具体的な回路によらなくとも、コンピュータプログラム及びコンピュータにより同等の処理を施すことで、単独パルスまたは『単独のパルス信号の領域と連続するパルス信号の領域』Ｍ２の検出を可能とするものである。
【００５７】
＜本発明の他の実施形態であるノイズ削減回路の他の構成＞
上述したノイズ削減回路の他の構成の例として、図１２は、本発明の一実施形態に係るノイズ削減回路の他の構成の一例を示すブロック図を示している。ノイズ削減回路２１’は、図１２において、フレームメモリ３１と、単独パルス検出部１４２と、単独パルス検出部１４３と、単独パルス検出部１４４と、これらの一端を加算する加算器１４１を有する。更に、ノイズ削減回路２１’は、単独パルス検出部１４３と単独パルス検出部１４２の出力が接続される乗算器１４５と、同じく、単独パルス検出部１４３と単独パルス検出部１４４が接続される乗算器１４６と、加算器１４７と、加算器１４８を有している。
【００５８】
ここで、図１２に示されたノイズ削減回路２１’は、図１に示されたノイズ削減回路２１と同等の動作を示すが、単独パルス検出部１４３及び単独パルス検出部１４４が、図１の単独パルス検出部３３及び単独パルス検出部３４に相当し、乗算器１４６及び加算器１４８が、図１の乗算器３５及び加算器３６に相当する。
【００５９】
一方、単独パルス検出部１４２、乗算器１４５及び加算器１４７は、図１のノイズ削減回路２１に新たに追加された構成である。単独パルス検出部１４２はフレームメモリ３１からの遅延フレーム信号のみが与えられるため、図１の単独パルス検出部３３と同等の動作を行なうが、加算器１４７の出力としてノイズ除去された１フレーム前のフレーム信号
が得られる。
【００６０】
なお、この１フレーム前のフレーム信号は、例えば、後段にＩＰ変換回路を設けた場合（不図示）に、ＩＰ変換回路に１フレーム前のフレーム信号を供給することでＩＰ変換回路中で利用することができる。
【００６１】
このような構成によっても、単独パルス検出部１４２等を用いて、例えば、画像処理装置等の映像信号のノイズ削減処理を行なうことが可能となる。
【００６２】
＜本発明の一実施形態であるノイズ削減回路を用いた映像装置＞
次に、上述したノイズ削減回路２１を用いた映像装置１０の一例を図面を用いて説明する。図１３は、本発明の一実施形態に係るノイズ削減回路を適用した映像装置の構成の一例を示すブロック図である。
【００６３】
映像装置１０は、アンテナ１１、アンテナ１２をそれぞれ受けるデジタルチューナ１３と、アナログチューナ１４と、これらにそれぞれ接続されているＭＰＥＧ−２デコーダ１５と、Ａ／Ｄ変換器１６と、外部接続器に接続されるＡ／Ｄ変換器１７を有している。更に、映像装置１０は、これらが接続されている信号セレクト１８と、これに接続される信号処理部１９を有している。
【００６４】
ここで、信号処理部１９は、上述したノイズ削減回路２１と、その後段のスケーリング部と、その後段の映像処理部２３と、その後段のドライバ２４と、ここから映像信号を受けて表示を行なう表示部２０を有する映像装置１０である。
【００６５】
アンテナ１１に接続されたデジタルチューナ１３により復調されたＭＰＥＧ−２トランスポートストリーム信号は、ＭＰＥＧ−２デコーダ１５で複合化処理された後、信号セレクト１８に入力される。同様に、アンテナ１２に接続されたアナログＴＶチューナ１４により復調された映像信号は、Ａ／Ｄ変換器１６でアナログ信号からデジタル信号に変換された後、信号セレクト１８に入力される。
【００６６】
また、ＶＴＲ、ＤＶＤ等の外部映像機器からの映像信号は、Ａ／Ｄ変換器１７でアナログ信号からデジタル信号に変換された後、信号セレクト１８に入力される。
【００６７】
信号セレクト１８は、ユーザーによる選択操作により、入力される映像信号を選択して信号処理部１９に出力する。
【００６８】
この信号処理部１９に入力される映像信号は、上述したノイズ削減回路２１や入力映像信号に対して画素数を表示部２０の画素数に合わせるスケーリング処理部２２や、輪郭補正処理等を行なう映像処理部２３を経て、ドライバ２４を介して表示部２０に供給されて映像表示される。
【００６９】
この映像装置１０でも、上述したノイズ削減回路２１において、ノイズ成分から矩形波成分を除去することで確実に検出された単独のパルス成分を利用し、映像信号等から単独のパルス成分のノイズを確実に除去することができる。これにより、映像画面で特にめだっている単独のパルス成分ノイズを効果的に除去することができるため、鮮明な画像表示を可能とするものである。
【００７０】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００７１】
【図１】本発明の一実施形態に係るノイズ削減回路の構成の一例を示すブロック図。
【図２】本発明の一実施形態に係るノイズ削減回路の動作の一例を示すタイミングチャート。
【図３】本発明の一実施形態に係るノイズ削減回路の主要な構成である単独パルス検出部の構成の一例を示すブロック図。
【図４】本発明の一実施形態に係るノイズ削減回路の主要な構成である単独パルス検出部の矩形波除去処理の一例を示すフローチャート。
【図５】本発明の一実施形態に係るノイズ削減回路の主要な構成である単独パルス検出部の動作の一例を示すタイミングチャート。
【図６】本発明の一実施形態に係るノイズ削減回路の主要な構成である単独パルス検出部の連続パルス信号と単独パルス信号の分離処理の一例を示すフローチャート。
【図７】本発明の一実施形態に係るノイズ削減回路の主要な構成である単独パルス検出部の入出力特性の一例を示すグラフ。
【図８】本発明の一実施形態に係るノイズ削減回路の主要な構成である単独パルス検出部の構成の一例を示すブロック図。
【図９】本発明の一実施形態に係るノイズ削減回路の主要な構成である単独パルス検出部の連続パルス信号及び単独パルス信号の検出処理の一例を示すフローチャート。
【図１０】本発明の一実施形態に係るノイズ削減回路の主要な構成である単独パルス検出部の構成の一例を示すブロック図。
【図１１】本発明の一実施形態に係るノイズ削減回路の主要な構成である単独パルス検出部の動作をコンピュータプログラムで実現する場合の一例を示すフローチャート。
【図１２】本発明の一実施形態に係るノイズ削減回路の他の構成の一例を示すブロック図。
【図１３】本発明の一実施形態に係るノイズ削減回路を適用した映像装置の構成の一例を示すブロック図。
【符号の説明】
【００７２】
３１…フレームメモリ、３２…演算器、３３…単独パルス検出部、３４…単独パルス検出部、３５…演算部、３６…演算器。
【図１】
0004309449.tif 000002
【図２】
0004309449.tif 000003
【図３】
0004309449.tif 000004
【図４】
0004309449.tif 000005
【図５】
0004309449.tif 000006
【図６】
0004309449.tif 000007
【図７】
0004309449.tif 000008
【図８】
0004309449.tif 000009
【図９】
0004309449.tif 000010
【図１０】
0004309449.tif 000011
【図１１】
0004309449.tif 000012
【図１２】
0004309449.tif 000013
【図１３】
0004309449.tif 000014